(57)【特許請求の範囲】
【請求項１】
空気を吸い込む吸込口と、
前記吸込口から吸い込まれた空気を吹き出す略環形状の第一吹出口と、
前記吸込口から吸い込まれた空気を吹き出す略環形状の第二吹出口と、
前記吸込口から前記第一吹出口および／または前記第二吹出口へと空気を導く高圧空気発生部と、
前記第一吹出口および／または前記第二吹出口から吹き出された空気に誘引させて誘引空気を吸い込む誘引空気吸入部と、
前記誘引空気吸入部から吸い込まれた空気を吹き出す誘引空気吹出部と、
前記高圧空気発生部と前記第一吹出口とを連通する第一風路と、
前記高圧空気発生部と前記第二吹出口とを連通する第二風路と、
前記誘引空気吸入部と前記誘引空気吹出部とを連通する第三風路と、
前記高圧空気発生部からの空気を前記第一風路および／または前記第二風路に任意の比率で分配する空気分配手段とを備え、
前記誘引空気吹出部の外周に前記第一吹出口と前記第二吹出口を略同一平面にこの順で配置し、
前記第二吹出口と前記誘引空気吹出部との間に前記第二吹出口から吹出される空気にコアンダ効果を与えない非コアンダ領域を備えた送風装置。
【請求項２】
前記第一吹出口から吹出す空気の吹出し方向が、前記平面から垂直に前記平面から離れる方向に対し広角である請求項１に記載の送風装置。
【請求項３】
前記誘引空気吸入部を複数備えた請求項１または２に記載の送風装置。
【請求項４】
前記複数の誘引空気吸入部は、
前記第一吹出口及び前記第二吹出口から吹出される吹出空気に対して平行に空気を誘引するメイン吸入部と、
前記第一風路及び前記第二風路を貫通して形成された風路より前記吹出空気に対して垂直に空気を誘引する複数のサブ吸入部から構成される請求項３記載の送風装置。
【請求項５】
前記高圧空気発生部は、
羽根車と前記羽根車を駆動するためのモータとを備え、
前記羽根車が駆動することにより、前記吸込口から前記第一吹出口および／または前記第二吹出口へと空気を導く請求項１〜４のいずれか１項に記載の送風装置。
【請求項６】
前記誘引空気吸入部を、
前記誘引空気吹出部の吹出し方向と平行である送風中心から等距離の位置に、複数備えた請求項１〜５のいずれか１項に記載の送風装置。
【請求項７】
前記空気分配手段は、
前記第一風路および／または前記第二風路の風路面積を変化させるダンパと、前記ダンパを駆動するダンパ駆動手段を備えた請求項１〜６のいずれか１項に記載の送風装置。
【発明の詳細な説明】
【技術分野】
【０００１】
本発明は送風装置に関し、詳しくは、居室内の天井、壁、又は床面等に設置して、直接気流によって体感温度を低下させたり、室内の空気を循環させたりする扇風機、又は天井扇などの送風装置に関するものである。
【背景技術】
【０００２】
従来、この種の送風装置として、羽根車とモータを台座となる箱体に内包して、箱体上部に備えられた円環形状の送風部から床面と水平方向に空気を吹出し、空気の循環及び空気の流れを生じさせる家庭用送風装置が知られている（例えば、特許文献１参照）。
【０００３】
以下、その送風装置について図１０、図１１および図１２を参照しながら説明する。
【０００４】
図１０は、送風機１００の斜視図であり、図１１は図１０の送風機１００の断面を示す構成図であり、図１２は図１０の送風機１００の吹出し口１０６の断面を示す拡大構成図である。
【０００５】
送風機１００は、下部に自立するための平面スタンド部１１３を有する箱体１０１と、箱体１０１に空気を取り入れる吸込み口１０２と、高圧空気を発生するための羽根車１０３と羽根車１０３を駆動するためのモータ１０４で構成され高圧空気発生部１０５と、高圧空気を気流として吹出すための吹出し口１０６を有する２つの同心円環形状の内側気流吹出し部１０７、外側気流吹出し部１０８を備え、内側気流吹出し部１０７と外側気流吹出し部１０８は円環形状内外方向に平行となるように高圧空気発生部１０５の上部に円環状の軸が床面１１４と水平になるように内部が２分された連通部１０９を介して保持され、送風機１００の送風方向を前面にして床面１１４に置かれている。
【０００６】
ここで内側気流吹出し部１０７の吹出し口である内側気流吹出し口１１０は、円環形状の軸に対する角を角αとした場合、角αが３０度外向きとなるよう、円環形状に対してほぼ垂直方向に開口している。外側気流吹出し部１０８の吹出し口である外側気流吹出し口１１１は、円環形状の軸に対する角を角βとした場合、角βが３０度内向きとなるよう、円環形状に対してほぼ垂直方向に開口している。また、内部が２分された連通部１０９は、前側連通部１１５を通って内側気流吹出し部１０７へ、後側連通部１１６を通って外側気流吹出し部１０８へ、空気が流れるようになっている。
【０００７】
また、高圧空気発生部１０５の内部には、連通部１０９との接続部に、ダンパ１１２が環形状に対して垂直方向にスライドするよう備えられ、ダンパ１１２により内側気流吹出し部１０７と外側気流吹出し部１０８への高圧空気の流入量を調整する構成となっている。ここで、内側気流吹出し口１１０と外側気流吹出し口１１１から同時に同風量で吹出されると、互いの気流が衝突して円環状の軸方向に吹出される。また内側気流吹出し口１１０のみの吹出しの場合には、外側３０度方向のワイド送風となり、外側気流吹出し口１１１のみの吹出しの場合には、内側３０度方向のスポット送風となる。つまり内側気流吹出し口１１０と外側気流吹出し口１１１への風量のバランスで内側３０度から真正面、真正面から外側３０度の方向と送風範囲を調整できるものである。
【先行技術文献】
【特許文献】
【０００８】
【特許文献１】特開２０１２−０３１８０６号公報
【発明の概要】
【発明が解決しようとする課題】
【０００９】
このような従来の送風装置では、図１２に示すように、内側気流吹出し口１１０と外側気流吹出し口１１１から吹出された気流は、コアンダ面１１７に沿って気流衝突点１１８に向かって流れ、気流衝突点１１８にて互いの気流が衝突し、内側気流吹出し口１１０と外側気流吹出し口１１１から吹出される風量のバランスによって衝突後の気流の方向を調整し、送風範囲を変更するものである。しかしながら、互いに異なる方向からの気流を衝突させるため、衝突により一部の気流のエネルギーを損失してしまうという課題があった。
【００１０】
そこで、本発明は、上記従来の課題を解決するものであり、気流のエネルギー損失を抑制しつつ、ユーザの希望に応じて送風範囲を変更することができる送風装置を提供することを目的とする。
【課題を解決するための手段】
【００１１】
そして、この目的を達成するために、本発明は、空気を吸い込む吸込口と、前記吸込口から吸い込まれた空気を吹き出す略環形状の第一吹出口と、前記吸込口から吸い込まれた空気を吹き出す略環形状の第二吹出口と、前記吸込口から前記第一吹出口および／または前記第二吹出口へと空気を導く高圧空気発生部と、前記第一吹出口および／または前記第二吹出口から吹き出された空気に誘引させて誘引空気を吸い込む誘引空気吸入部と、前記誘引空気吸入部から吸い込まれた空気を吹き出す誘引空気吹出部と、前記高圧空気発生部と前記第一吹出口とを連通する第一風路と、前記高圧空気発生部と前記第二吹出口とを連通する第二風路と、前記誘引空気吸入部と前記誘引空気吹出部とを連通する第三風路と、前記高圧空気発生部からの空気を前記第一風路および／または前記第二風路に任意の比率で分配する空気分配手段とを備え、前記誘引空気吹出部の外周に前記第一吹出口と前記第二吹出口を略同一平面にこの順で配置し、前記第二吹出口と前記誘引空気吹出部との間に前記第二吹出口から吹出される空気にコアンダ効果を与えない非コアンダ領域を備えた送風装置としたものであり、これにより所期の目的を達成するものである。
【発明の効果】
【００１２】
本発明によれば、第二吹出口と誘引空気吹出部との間に第二吹出口から吹出される空気にコアンダ効果を与えない非コアンダ領域を備えた送風装置としたことにより、気流のエネルギー損失を抑制しつつ、ユーザの希望に応じて送風範囲を変更することができるものである。
【図面の簡単な説明】
【００１３】
【図１】本発明の実施の形態１の送風装置の斜視図
【図２】本発明の実施の形態１の送風装置の断面を示す構成図
【図３】本発明の実施の形態１のダンパの斜視図
【図４】本発明の実施の形態１の吹出口近傍の部分拡大断面図
【図５】本発明の実施の形態１の送風装置の断面Ａを示す構成図
【図６】本発明の実施の形態１の送風装置の断面Ａを示す構成図
【図７】本発明の実施の形態１の送風装置の断面Ｂを示す構成図
【図８】本発明の実施の形態２の送風装置の斜視図
【図９】本発明の実施の形態３の送風装置の斜視図
【図１０】従来技術の一例を示す斜視図
【図１１】従来技術の一例を示す断面図
【図１２】従来技術の一例を示す断面図
【発明を実施するための形態】
【００１４】
本発明の請求項１に記載の送風装置は、空気を吸い込む吸込口と、前記吸込口から吸い込まれた空気を吹き出す略環形状の第一吹出口と、前記吸込口から吸い込まれた空気を吹き出す略環形状の第二吹出口と、前記吸込口から前記第一吹出口および／または前記第二吹出口へと空気を導く高圧空気発生部と、前記第一吹出口および／または前記第二吹出口から吹き出された空気に誘引させて誘引空気を吸い込む誘引空気吸入部と、前記誘引空気吸入部から吸い込まれた空気を吹き出す誘引空気吹出部と、前記高圧空気発生部と前記第一吹出口とを連通する第一風路と、前記高圧空気発生部と前記第二吹出口とを連通する第二風路と、前記誘引空気吸入部と前記誘引空気吹出部とを連通する第三風路と、前記高圧空気発生部からの空気を前記第一風路および／または前記第二風路に任意の比率で分配する空気分配手段とを備え、前記誘引空気吹出部の外周に前記第一吹出口と前記第二吹出口を略同一平面にこの順で配置し、前記第二吹出口と前記誘引空気吹出部との間に前記第二吹出口から吹出される空気にコアンダ効果を与えない非コアンダ領域を備えたものである。
【００１５】
前記第一吹出口から空気が吹出されると、前記誘引空気吹出部は負圧となる。このため前記第一吹出口から吹出された空気に誘引されて前記誘引空気吸入部から空気が取り込まれ、前記誘引空気吹出部から前記第一吹出口の空気と一緒になり、前記第一吹出口の吹出し方向に大風量の気流となって遠方に送り届けられる。また、前記空気分配手段により前記第二吹出口から空気が吹出されると、前記誘引空気吹出部は負圧となる。このため前記第二吹出口から吹出された空気に誘引されて前記誘引空気吸入部から空気が取り込まれるが、このとき、前記第二吹出口から吹出された空気は、前記第二吹出口と前記誘引空気吹出部の間に前記非コアンダ領域が存在する。このため前記非コアンダ領域も負圧となり、前記非コアンダ領域で渦が発生し、前記第二吹出口から吹出された空気はこの渦に引き寄せられ前記平面から垂直に前記平面から離れる方向に対し幅狭となる。このとき、前記第一吹出口、及び前記第二吹出口から吹出された空気は、何かに衝突することなく方向を変更しているため、気流のエネルギー損失を最小限にして気流の方向を変更することが可能である。このため、前記空気分配手段を切り替えて前記高圧空気発生部からの空気を前記第一風路および／または前記第二風路に任意の比率で分配することで、気流のエネルギー損失を抑制しつつ、ユーザの希望に応じて送風範囲を広角から幅狭に変更することができる。
【００１６】
また、前記第一吹出口から吹出す空気の吹出し方向が、前記平面から垂直に前記平面から離れる方向に対し広角としてもよい。
【００１７】
前記第一吹出口から空気を吹出す際に、送風範囲を広くすることができ、より広い範囲でユーザの希望に応じて送風範囲を広角から幅狭に変更することができる。
【００１８】
また、前記誘引空気吸入部を複数備えてもよい。
【００１９】
前記誘引空気吸入部を複数備えることで前記誘引空気吸入部の開口総面積を大きくすることができるため、前記誘引空気吸入部に空気が流入する際の抵抗を抑制でき、効率よく大風量の気流を生出すことができる。また、前記第一吹出口から吹出す空気の吹出し方向が、前記平面から垂直に前記平面から離れる方向に対し広角である場合には、前記誘引空気吸入部を複数備えることで誘引空気を多く前記誘引空気吹出部に供給できる。このため、より送風範囲を広くすることができる。また、前記誘引空気吸入部を複数備えたことで、一つの前記誘引空気吸入部が塞がれるような使用状態でも、他の前記誘引空気吸入部から空気を誘引できるため性能を発揮することができる。
【００２０】
また、前記複数の誘引空気吸入部は、前記第一吹出口及び前記第二吹出口から吹出される吹出空気に対して平行に空気を誘引するメイン吸入部と、前記第一風路及び前記第二風路を貫通して形成された風路より前記吹出空気に対して垂直に空気を誘引する複数のサブ吸入部から構成される構成としてもよい。
【００２１】
前記メイン吸入部に加えて複数の前記サブ吸入部を備えることで、誘引空気が流入する開口総面積を大きくすることができるため、誘引空気が流入する際の抵抗を抑制でき、効率よく大風量の気流を生出すことができる。また、前記メイン吸入部は前記第一吹出口及び前記第二吹出口から吹出される吹出空気に対して平行に空気を誘引し、誘引空気は方向を転換することなく前記メイン吸入部から前記誘引空気吹出部に流れる。このため、少ない抵抗で効率よく大風量の気流を生出すことができる。また、前記第一吹出口から吹出す空気の吹出し方向が、前記平面から垂直に前記平面から離れる方向に対し広角である場合には、複数の前記サブ吸入部を備えることで誘引空気を多く前記誘引空気吹出部に供給できるため、より送風範囲を広くすることができる。
【００２２】
また、前記高圧空気発生部は、羽根車と前記羽根車を駆動するためのモータとを備え、前記羽根車が駆動することにより、前記吸込口から前記第一吹出口および／または前記第二吹出口へと空気を導く構成としてもよい。
【００２３】
前記羽根車の連続的な回転により高圧空気を発生させるため、前記第一吹出口および／または前記第二吹出口に連続的に空気を供給することができ、ムラの無い連続的な気流をユーザに送ることができる。また、送風範囲を前記空気分配手段で切り替える際に、前記第一吹出口および／または前記第二吹出口に連続的に空気が供給されるため、送風装置からの気流が停止することなく、なめらかに送風範囲を変更することができる。
【００２４】
また、前記誘引空気吸入部を、前記誘引空気吹出部の吹出し方向と平行である送風中心から等距離の位置に、複数備えてもよい。
【００２５】
複数の前記誘引空気吸入部が等距離にあることで、複数の前記誘引空気吸入部から吸込まれた空気が送風中心で混合されるため、送風中心に強くまとまった気流を生成することができ、遠方まで風速の減衰が少なく届く気流にすることができる。
【００２６】
また、前記空気分配手段は、前記第一風路および／または前記第二風路の風路面積を変化させるダンパと、前記ダンパを駆動するダンパ駆動手段を備えたことを特徴とするもので、前記ダンパ駆動手段により前記ダンパを駆動することで前記第一風路および／または前記第二風路の風路面積を変化させることができるため、前記ダンパ駆動手段によりユーザの希望に応じて送風範囲を変更することができる。
【００２７】
以下、添付図面を参照して、本発明の実施の形態につき説明し、本発明の理解に供する。なお、以下の実施の形態は、本発明を具体化した一例であって、本発明の技術的範囲を限定する性格のものではない。また、全図面を通して、同一の構成要素については同一の符号を付して説明を省略する。さらに、各図面において、本発明に直接には関係しない各部の詳細については説明を省略している。
【００２８】
（実施の形態１）
図１に、本実施の形態にかかる送風装置１１の斜視図を示す。
【００２９】
図１に示すように送風装置１１は、円錐台形状の送風部１２と送風部１２を固定する台座部１３で構成されており、図１の矢印方向、即ち送風方向に気流を発生するものである。
【００３０】
送風部１２は略円柱形状をしており、天面、つまり送風する方向を前面とし、底面、つまり送風する方向とは逆の方向を背面としている。
【００３１】
背面には、空気を吸い込む吸込口１４が備えられている。前面には、吸込口１４から吸い込まれた空気を吹き出す環形状の第一吹出口１５と、第一吹出口１５の同心円上外周側
に吸込口１４から吸い込まれた空気を吹き出す環形状の第二吹出口１６と、第一吹出口１５の内周側に誘引空気吹出部２１とが備えられている。また、第一吹出口１５と第二吹出口１６と誘引空気吹出部２１とは同一の平面２８上に設けられている。つまり誘引空気吹出部２１の外周に第一吹出口１５と第二吹出口１６を同一平面２８にこの順で配置している。
【００３２】
さらに、第二吹出口１６と誘引空気吹出部２１との間に、第二吹出口１６から吹出される空気にコアンダ効果を与えない非コアンダ領域２９を備えている。
【００３３】
送風部１２の側面には、天面及び底面の円の中心を結ぶ中心軸３３から等距離に、複数（本実施の形態では６個）の誘引空気吸入部２０が設けられている。
【００３４】
誘引空気吸入部２０は、送風部１２の略円柱形状（円錐台形状）における内部空間、即ち後述の誘引空気混合部を介して誘引空気吹出部２１と連通している。
【００３５】
台座部１３は、送風部１２を支持する支柱１３ａと、支柱１３ａを最下部で支持する支持部１３ｂとを備えている。
【００３６】
支持部１３ｂは、送風部１２（後述のファン用モータ）の動作のオン／オフを制御する電源スイッチ３４と、送風方向を変更する風向切替スイッチ３５とを備えている。
【００３７】
次に図２、図３を参照しながら送風部１２の内部構造について説明する。なお図２は、図１における断面Ａでの送風装置１１の断面を示す構成図、図３はダンパの斜視図である。
【００３８】
送風部１２は、内部に高圧空気を発生する高圧空気発生部１９と、高圧空気発生部１９と第一吹出口１５とを連通する第一風路２２と、高圧空気発生部１９と第二吹出口１６とを連通する第二風路２３と、複数の誘引空気吸入部２０と誘引空気吹出部２１とを連通する第三風路２４と、誘引空気混合部８０と、空気分配手段２７とを備えている。
【００３９】
高圧空気発生部１９は、吸込口１４から第一吹出口１５および／または第二吹出口１６へと空気を導く羽根車としてのターボファン１７とターボファン１７を駆動するファン用モータ１８からなる。
【００４０】
ファン用モータ１８は、図１に示した電源スイッチ３４によって動作のオン／オフが行われる。
【００４１】
空気分配手段２７は、ダンパ２５とダンパ２５を回転駆動するダンパ駆動手段としてのダンパ用モータからなる。ダンパ２５は、ファン用モータ１８のターボファン１７側端部にファン用モータ１８と中心軸を一致させて備えられている。
【００４２】
ダンパ２５は、図３に示すように略円形であって中央部に円形の中央開口部７５を備え、上面視にしてドーナツ形状を有する。中央開口部７５周縁には切り欠きを備えており、前記ダンパ用モータの切り欠きと噛合することで中央開口部７５の中心７４を軸として回動可能となっている。またダンパ２５は、中心７４を中心として周縁部に複数の内周開口部７６を等間隔に備えている。さらに隣接する内周開口部７６に挟まれる領域に、内周開口部７６と同心円上に内周閉口部７７を内周開口部７６と同数備えている。内周開口部７６及び内周閉口部７７の中心７４からの距離は、送風部１２における中心軸３３と第一風路２２との距離と同一であり、即ち内周開口部７６及び内周閉口部７７は第一風路２２に対応する。
【００４３】
またダンパ２５は、中心７４を中心として内周開口部７６の外周側に内周開口部７６に対応させて同数の突出部７８を備えている。さらにダンパ２５は、隣接する突出部７８に挟まれて、突出部７８と同心円上に外周開口部７９を備えている。突出部７８及び外周開口部７９の中心７４からの距離は、送風部１２における中心軸３３と第二風路２３との距離と同一であり、即ち突出部７８及び外周開口部７９は第二風路２３に対応する。
【００４４】
内周開口部７６及び内周閉口部７７はそれぞれ第一風路２２の断面積より面積が大きく、第一風路２２と同数、さらに第一風路２２と同一間隔で備えられている。このためダンパ２５を回転させることで第一風路２２の下流側開口部を全て同時に開き、または同時に塞ぎ、さらには一定の割合で開く（塞ぐ）ことが可能である。
【００４５】
外周開口部７９及び突出部７８はそれぞれ第二風路２３の断面積より面積が大きく、第二風路２３と同数、さらに第二風路２３と同一間隔で備えられている。このためダンパ２５を回転させることで第二風路２３の下流側開口部を全て同時に開き、または同時に塞ぎ、さらには一定の割合で開く（塞ぐ）ことが可能である。
【００４６】
内周開口部７６と突出部７８、及び、内周閉口部７７と外周開口部７９は、それぞれ中心７４から円周方向に伸びる同一の放射状の直線上にある。このため、ダンパ２５を回転させることで第一風路２２のみを１００％開口し、または第二風路のみを１００％開口し、あるいは第一風路２２と第二風路２３とを一定の比率で開口することも可能である。
【００４７】
従って、ダンパ２５と前記ダンパ用モータとを適宜動作させることにより、高圧空気発生部１９からの空気を、第一風路２２および／または第二風路２３に任意の比率で分配することができる。
【００４８】
第一吹出口１５から吹出す空気の吹出し方向３２は、平面２８から垂直に平面２８から離れる方向に対し幅広（本実施の形態では３０度）に設定されている。
【００４９】
誘引空気吸入部２０は、送風中心から等距離の位置に、誘引空気吹出部２１の吹出し方向と平行に複数備えている。ここで、送風中心とは誘引空気吹出部２１の吹出し方向と平行で送風部１２の中心を通る中心軸３３のことを示す。
【００５０】
続いて、図４を参照しながら非コアンダ領域２９の詳細について説明する。図４は、送風装置１１の吹出口近傍の部分拡大断面図である。そして図４のＡ及びＢは、非コアンダ領域２９の一例を示すものである。これに対して図４のＣは非コアンダ領域となり得ない一例を示すものである。
【００５１】
図４のＡにおいて、内周側（図４のＡの左側）から順に誘引空気吹出部２１、第一吹出口１５、第二吹出口１６が同一の平面２８上に配置されている。そして第一吹出口１５の内周側端部８１から誘引空気吹出部２１の外周端部８２までの間の領域が非コアンダ領域２９である。
【００５２】
さらに非コアンダ領域２９として機能する要件として、第二吹出口１６から吹出される空気に対してコアンダ効果を与えない、言い換えれば第二吹出口１６から吹出される空気にコアンダ効果が発生しないことが必要である。
【００５３】
具体的には、内周側端部８１から外周端部８２までが直線状になっており、かつ第二吹出口１６から吹き出す吹出し方向８５と非コアンダ領域２９とが成す角８４が９０度以上であればコアンダ効果が発生しない。
【００５４】
他の例として、内周側端部８１から外周端部８２までの間に穴（窪み）や孔が存在していても非コアンダ領域２９を構成する。図４のＢは非コアンダ領域２９が窪み８３を有する場合の一例である。
【００５５】
非コアンダ領域２９とはなり得ない例として、図４のＣに示すように内周側端部８１から外周端部８２までの間に吹出し方向側に突出物８７が存在する場合が挙げられる。この場合、内周側端部８１から外周端部８２までが直線状とは言えず、第二吹出口１６から吹き出す吹出し方向８５と突出物８７とが成す角８６も９０度以下となる。このような場合には第二吹出口１６から吹出される空気がこの突出物８７によってコアンダ効果を受けてしまうため、非コアンダ領域２９とはならない。
【００５６】
また、非コアンダ領域２９の効果を十分に機能させるには、内周側端部８１から外周端部８２までの長さ、つまり非コアンダ領域２９の中心軸３３から半径方向の長さが、第二吹出口の半径方向の長さ８８の３倍以上であることが望ましい。この距離が短すぎる場合には後述する渦が発生せず、十分な効果が期待できない。
【００５７】
なお、当然ながら第二吹出口１６の内周側に誘引空気吹出部２１が存在しない（空気の流れが発生しない）場合には、後述する渦が発生しない。また、非コアンダ領域２９が略環状となっていない場合、具体的には平面２８に対して非コアンダ領域が凹凸をもって所々途切れた状態では、凹部から中心軸３３に向かって気流が発生するため渦が発生しない。
【００５８】
ここでいう略環状とは、正円でない形状を許容する意味であり、例えば楕円や矩形であってもよいということである。同一の平面２８上に各吹出部が設けられておれば正円でなくても他の条件を満たせば非コアンダ領域２９は機能する。
【００５９】
なお図４のＡが本実施の形態にて採用される非コアンダ領域２９の形状である。
【００６０】
続いて、図５、図６、図７を参照しながら、送風装置１１を駆動させた際の各部の動作を説明する。図５、図６は、図１の断面Ａでの送風装置１１の断面を示す構成図である。また図７は、図１の断面Ｂでの送風装置１１の断面を背面側から見た構成図である。なお、図５及び図７のＤは、一例として第一吹出口１５からのみ空気が吹出される際の構成を、図６及び図７のＥは一例として第二吹出口１６からのみ空気が吹出される際の構成を示している。
【００６１】
そして最初に、図５及び図７のＤの状態、即ち第一吹出口１５からのみ空気が吹き出され、第二吹出口１６からは空気が吹き出されない状態について説明する。この状態では、図７のＤに示すように、第一風路２２の断面は全てダンパ２５の内周開口部７６の内部に存在する。つまり第一風路２２は１００％開口している状態である。そしてこの状態では、第一風路の外周側にある第二風路２３は突出部７８によって全て閉じられている。つまり第二風路２３は１００％閉口している状態である。
【００６２】
図５に示すように、この状態で前述の電源スイッチ３４を操作すると、ファン用モータ１８は電力で駆動し、即ち電圧等を制御する制御基盤を備えた電源供給部（図示なし）から電力が供給され、ターボファン１７が駆動する。なお電源供給部には、例えば送風装置１１の外部にある家庭用コンセントなどから電源が引き込まれる。
【００６３】
ターボファン１７の駆動により、吸込口１４から空気Ｘ（実線矢印で示す）が吸い込まれる。吸い込まれた空気Ｘは、ターボファン１７により高圧空気発生部１９で昇圧され、第一風路２２を介して第一吹出口１５から吹き出される。なお、第二風路２３は閉じられているため第二吹出口１６からは空気は吹き出されない。
【００６４】
第一吹出口１５から空気Ｘが吹き出されると、誘引空気吹出部２１の周辺は負圧となるため、第一吹出口１５から吹出された空気Ｘに誘引されて空気Ｙ（破線矢印で示す）が複数の誘引空気吸入部２０から吸い込まれる。空気Ｘと空気Ｙとは第一吹出口１５近傍の誘引空気混合部８０で混合され、大風量の気流となって遠方に届けられる。このとき、送風装置１１より生出される気流は平面２８から垂直に平面２８から離れる方向に対し幅広となる。
【００６５】
ここで、風向切替スイッチ３５を操作することにより、ダンパ用モータ２６が駆動し、これによりダンパ２５が回転駆動して図６のＤからＥの状態に移行する。この状態では、図７のＥに示すように、第二風路２３の断面は全てダンパ２５の外周開口部７９の内部に存在する。つまり第二風路２３は１００％開口している状態である。そしてこの状態では、第二風路の内周側にある第一風路２２は内周閉口部７７によって全て閉じられている。つまり第一風路２２は１００％閉口している状態である。この状態では、図６に示すように、吸込口１４から吸い込まれた空気Ｘは、ターボファン１７により高圧空気発生部１９で昇圧され、第二風路２３を介して第二吹出口１６から吹き出される。第二吹出口１６から空気Ｘが吹き出されると、誘引空気吹出部２１の周辺は負圧となる。このため、第二吹出口１６から吹出された空気Ｘに誘引されて空気Ｙ（誘引空気）が複数の誘引空気吸入部２０から吸い込まれる。
【００６６】
空気Ｘと空気Ｙとは誘引空気混合部８０で混合され、大風量の気流となって遠方に届けられる。
【００６７】
このとき、第二吹出口１６と誘引空気吹出部２１の間に非コアンダ領域２９が存在する。このため第二吹出口１６から吹出された空気は、誘引空気吹出部２１の空気Ｙを誘引する際に、非コアンダ領域２９の上方（吹出し方向）が負圧となり、非コアンダ領域２９で上述した渦３６が発生する。第二吹出口１６から吹出された空気Ｘはこの渦３６に引き寄せられ平面２８から垂直に平面２８から離れる方向に対し幅狭となる。このため、ダンパ２５を図７のＤの状態から図７のＥの状態に切り替えることで、気流のエネルギー損失を抑制しつつ、ユーザの希望に応じて送風範囲を広角から幅狭に変更することができるものである。当然ながら、気流の衝突によるエネルギー損失は無いに等しいため、衝突によって送風方向を変更する従来の構成よりも、大風量の気流を遠方まで届けることができる。なお、ターボファン１７などの可動部を内包しているため接触による不安感もない。
【００６８】
なお、誘引空気吸入部２０を複数備えることで、誘引空気吸入部２０の開口総面積を大きくすることができる。このため、誘引空気吸入部２０に空気が流入する際の抵抗を抑制でき、効率よく大風量の気流を生出すことができる。
【００６９】
また、第一吹出口１５から吹出す空気の吹出し方向が、平面２８から垂直に平面２８から離れる方向に対し広角である場合には、誘引空気吸入部２０を複数備えることで誘引空気を多く誘引空気吹出部２１に供給できるため、より送風範囲を広くすることができる。
【００７０】
また、一つの前記誘引空気吸入部２０が塞がれるような使用状態でも、他の誘引空気吸入部２０から空気を誘引できるため十分な性能を発揮することができる。
【００７１】
また、高圧空気発生部１９は、ターボファン１７とターボファン１７を駆動するためのファン用モータ１８とを備えることで、ターボファン１７の連続的な回転により高圧空気を発生させる。このため第一吹出口１５および／または第二吹出口１６に連続的に空気を供給することができ、ムラの無い連続的な気流をユーザに送ることができる。
【００７２】
また、送風範囲を空気分配手段２７で切り替える際に、第一吹出口１５および／または第二吹出口１６に連続的に空気が供給されるため、送風装置からの気流が停止することなく、なめらかに送風範囲を変更することができる。
【００７３】
また、複数の誘引空気吸入部２０が等距離にあることで、複数の誘引空気吸入部２０から吸込まれた空気が送風中心の誘引空気混合部で混合されるため、送風中心に強くまとまった気流を生成することができ、遠方まで風速の減衰が少なく届く気流にすることができる。
【００７４】
また、ダンパ２５をドーナツ形状としさらに回動することにより、送風範囲を広角、狭角に連続的に切り替えることができる。そして広角の場合には狭角の場合よりも緩やかな送風となり、また狭角の場合には広角の場合よりも強い送風となる。このため一定の速度でダンパ２５を連続的に回動させることで、ユーザに揺らぎのある自然風に近い風を提供することができる。
【００７５】
（実施の形態２）
本発明の実施の形態２では、本発明の実施の形態１と異なる点のみを説明する。なお図８は、本実施の形態に係る送風装置５１の斜視図である。
【００７６】
図８に示すように送風装置５１は、ドーナツ形状の送風部５２と送風部５２を固定する台座部５３と送風部５２と台座部５３を接続するダクト５４とで構成されている。
【００７７】
送風装置５１は、高圧空気発生部１９を内包する台座部５３で高圧空気を発生させ、吸込口１４からダクト５４内部を介して送風部５２に高圧空気が送られ、第一吹出口１５および／または第二吹出口１６から空気を吹出し、矢印方向に気流を発生するものである。
【００７８】
なお、送風部５２の内部には、実施の形態１と同様、第一風路２２、第二風路２３、空気分配手段２７を備えている。ただし空気分配手段２７におけるダンパ用モータの位置は実施の形態１とは大きく異なることになるが、円形のダンパを回動させることにより空気分配手段を構成する点は上記構成にこだわらない。また、ダンパ用モータを設けずに手動でダンパを回転させる構成でもよい。
【００７９】
このような構成によれば、誘引空気吸入部２０は第一吹出口１５及び第二吹出口１６から吹出される吹出空気に対して平行、即ち直線状に空気を誘引し、誘引空気は方向を転換することなく誘引空気吸入部２０から誘引空気吹出部２１に流れるため、少ない抵抗で効率よく大風量の気流を生出すことができる。
【００８０】
（実施の形態３）
本発明の実施の形態３では、本発明の実施の形態１、及び実施の形態２と異なる点のみを説明する。なお図９は、本実施の形態に係る送風装置６１の斜視図である。
【００８１】
図９に示すように送風装置６１は、ドーナツ形状の送風部６２と送風部６２を固定する台座部５３と送風部６２と台座部５３を接続するダクト５４とで構成されている。
【００８２】
送風装置６１は、高圧空気発生部１９を内包する台座部５３で高圧空気を発生させ、吸込口１４からダクト５４を介して送風部６２に高圧空気が送られ、第一吹出口１５および／または第二吹出口１６から空気を吹出し、矢印方向に気流を発生するものである。
【００８３】
本実施の形態が実施の形態２と大きく異なる点は、誘引空気吸入部２０は、メイン吸入部３０及びサブ吸入部３１からなる点である。
【００８４】
メイン吸入部３０は、第一吹出口１５及び第二吹出口１６から吹出される吹出空気に対して平行に空気を誘引する誘引空気吸入部である。
【００８５】
サブ吸入部３１は、第一風路２２及び第二風路２３を貫通して送風部６２の側面に形成された風路（開口）より、前記吹出空気に対して垂直に空気を誘引する複数の誘引空気吸入部である。
【００８６】
このような構成によれば、メイン吸入部３０に加えて複数のサブ吸入部３１を備えることで、誘引空気が流入する開口総面積を大きくすることができるため、誘引空気が流入する際の抵抗を抑制でき、効率よく大風量の気流を生出すことができる。
【００８７】
また、メイン吸入部３０は第一吹出口１５及び第二吹出口１６から吹出される吹出空気に対して平行に空気を誘引し、誘引空気は方向を転換することなくメイン吸入部３０から誘引空気吹出部２１に流れる。このため、少ない抵抗で効率よく大風量の気流を生出すことができる。
【００８８】
また、第一吹出口１５から吹出す空気の吹出し方向が、平面２８から垂直に平面２８から離れる方向に対し広角である場合には、複数のサブ吸入部３１を備えることで誘引空気を多く誘引空気吹出部２１に供給できるため、より送風範囲を広くすることができる。
【００８９】
なお、上述した３つの実施の形態においては、空気分配手段が第一風路と第二風路の開口をそれぞれ同時に１００％とすることができない。しかしながら、ダンパを構成する内周開口部、内周閉口部、突出部、外周開口部の大きさや位置、さらには第一風路及び第二風路の大きさや位置を変更すればそれぞれ１００％とすることができるのは言うまでもない。
【産業上の利用可能性】
【００９０】
本発明にかかる送風装置は、居室内の床、机上、天井や壁に設置され、直接気流による体感温度の減少や室内の空気の循環に使用される各種送風機器等として有用である。
【符号の説明】
【００９１】
１１、５１、６１  送風装置
１２、５２、６２  送風部
１３、５３  台座部
１４  吸込口
１５  第一吹出口
１６  第二吹出口
１７  ターボファン
１８  ファン用モータ
１９  高圧空気発生部
２０  誘引空気吸入部
２１  誘引空気吹出部
２２  第一風路
２３  第二風路
２４  第三風路
２５  ダンパ
２６  ダンパ用モータ
２７  空気分配手段
２８  平面
２９  非コアンダ領域
３０  メイン吸入部
３１  サブ吸入部
３２、８５  吹出し方向
３３  中心軸
３４  電源スイッチ
３５  風向切替スイッチ
３６  渦
５４  ダクト
７４  中心
７５  中央開口部
７６  内周開口部
７７  内周閉口部
７８  突出部
７９  外周開口部
８０  誘引空気混合部
８１  内周側端部
８２  外周端部
８３  窪み
８４  角
８６  角
８７  突出物
８８  半径方向の長さ
１００  送風機
１０１  箱体
１０２  吸込み口
１０３  羽根車
１０４  モータ
１０５  高圧空気発生部
１０６  吹出し口
１０７  内側気流吹出し部
１０８  外側気流吹出し部
１０９  連通部
１１０  内側気流吹出し口
１１１  外側気流吹出し口
１１２  ダンパ
１１３  平面スタンド部
１１４  床面
１１５  前側連通部
１１６  後側連通部
１１７  コアンダ面
１１８  気流衝突点
【図１】
0006454871.tif 000002
【図２】
0006454871.tif 000003
【図３】
0006454871.tif 000004
【図４】
0006454871.tif 000005
【図５】
0006454871.tif 000006
【図６】
0006454871.tif 000007
【図７】
0006454871.tif 000008
【図８】
0006454871.tif 000009
【図９】
0006454871.tif 000010
【図１０】
0006454871.tif 000011
【図１１】
0006454871.tif 000012
【図１２】
0006454871.tif 000013